(57)【要約】【課題】筐体を横方向に開く際に、開放操作が片手で簡単にし易くする。【解決手段】第１筐体１と、第２筐体２と、第１筐体１と第２筐体２とを重ねて折り畳んだ状態から第１軸（４１）を中心に縦方向へ開閉可能に連結するとともに、第１軸（４１）と軸線が交差する第２軸（４２）を中心に横方向へ回転可能に連結する２軸ヒンジ（４）と、を備える筐体構造であって、第１筐体１と第２筐体２とを折り畳んだ状態でロック状態に保持するロック機構（５）と、ロック機構（５）によるロック状態を解除して第１筐体１と第２筐体２とを離間させる操作部６と、を備える。具体的には、第１筐体１と第２筐体２を折り畳んだ状態で、一方の筐体２に操作部６が組み込まれて露出している。そして、第１筐体１と第２筐体２を縦方向に開放した場合には、他方の筐体１により操作部６が覆い隠される。【選択図】図１
2010190338.tif 000002
【特許請求の範囲】
【請求項１】
第１筐体と、第２筐体と、前記第１筐体と第２筐体とを重ねて折り畳んだ状態から第１軸を中心に縦方向へ開閉可能に連結するとともに、前記第１軸と軸線が交差する第２軸を中心に横方向へ回転可能に連結する２軸ヒンジと、を備える筐体構造であって、
前記第１筐体と第２筐体とを折り畳んだ状態でロック状態に保持するロック機構と、
前記ロック機構によるロック状態を解除して前記第１筐体と第２筐体とを離間させる操作部と、を備えることを特徴とする筐体構造。
【請求項２】
前記第１筐体と第２筐体を前記折り畳んだ状態で、一方の筐体に前記操作部が組み込まれて露出していることを特徴とする請求項１に記載の筐体構造。
【請求項３】
前記第１筐体と第２筐体を前記縦方向に開放した場合には、他方の筐体により前記操作部が覆い隠されることを特徴とする請求項２に記載の筐体構造。
【請求項４】
前記操作部は、前記第１軸の側方に配置されることを特徴とする請求項１から３のいずれか一項に記載の筐体構造。
【請求項５】
前記操作部の押し込み操作により、他方の筐体が押し上げられることを特徴とする請求項２から４のいずれか一項に記載の筐体構造。
【請求項６】
前記操作部及びロック機構は、ピン部材または板状部材により形成されることを特徴とする請求項２から５のいずれか一項に記載の筐体構造。
【請求項７】
前記第１筐体１は入力部を備え、前記第２筐体は表示部を備えることを特徴とする請求項１から６のいずれか一項に記載の筐体構造。
【請求項８】
請求項１から７のいずれか一項に記載の筐体構造を備えることを特徴とする携帯機器。
【発明の詳細な説明】
【技術分野】
【０００１】
本発明は、第１筐体と第２筐体とを重ねて折り畳んだ状態から第１軸を中心に縦方向へ開閉可能に連結するとともに、第１軸と軸線が交差する第２軸を中心に横方向へ回転可能に連結する２軸ヒンジを備える筐体構造と、その筐体構造を備える携帯機器に関する。
【背景技術】
【０００２】
携帯端末のヒンジ機構として、折り畳んだ状態から横方向に開放することを規制するロック部を設けてあり、そのロック状態は解除ボタンを操作することで解除されるヒンジ機構が特許文献１に開示されている。
また、第１筐体と第２筐体の折り畳んだ状態を保持するヒンジ機構で、操作部材の操作によって、その折り畳んだ状態の保持を開放するとともに筐体を所定角度までバネの力により縦方向に開くようにしたヒンジ機構が特許文献２に開示されている。
【先行技術文献】
【特許文献】
【０００３】
【特許文献１】特開２００７ −１１３６８６号公報
【特許文献２】特開２００８ −１１５９１９号公報
【発明の概要】
【発明が解決しようとする課題】
【０００４】
しかし、特許文献２のヒンジ機構は、筐体を横方向に開くことができず、特許文献１のヒンジ機構は、筐体を横方向に開く際に、筐体の開放が片手で簡単に行えず、開放操作がし難かった。
【０００５】
本発明の課題は、筐体を横方向に開く際に、開放操作が片手で簡単にし易くすることである。
【課題を解決するための手段】
【０００６】
以上の課題を解決するため、請求項１に記載の発明は、第１筐体と、第２筐体と、前記第１筐体と第２筐体とを重ねて折り畳んだ状態から第１軸を中心に縦方向へ開閉可能に連結するとともに、前記第１軸と軸線が交差する第２軸を中心に横方向へ回転可能に連結する２軸ヒンジと、を備える筐体構造であって、前記第１筐体と第２筐体とを折り畳んだ状態でロック状態に保持するロック機構と、前記ロック機構によるロック状態を解除して前記第１筐体と第２筐体とを離間させる操作部と、を備えることを特徴とする。
【０００７】
請求項２に記載の発明は、請求項１に記載の筐体構造であって、前記第１筐体と第２筐体を前記折り畳んだ状態で、一方の筐体に前記操作部が組み込まれて露出していることを特徴とする。
【０００８】
請求項３に記載の発明は、請求項２に記載の筐体構造であって、前記第１筐体と第２筐体を前記縦方向に開放した場合には、他方の筐体により前記操作部が覆い隠されることを特徴とする。
【０００９】
請求項４に記載の発明は、請求項１から３のいずれか一項に記載の筐体構造であって、前記操作部は、前記第１軸の側方に配置されることを特徴とする。
【００１０】
請求項５に記載の発明は、請求項２から４のいずれか一項に記載の筐体構造であって、前記操作部の押し込み操作により、他方の筐体が押し上げられることを特徴とする。
【００１１】
請求項６に記載の発明は、請求項２から５のいずれか一項に記載の筐体構造であって、前記操作部及びロック機構は、ピン部材または板状部材により形成されることを特徴とする。
【００１２】
請求項７に記載の発明は、請求項１から６のいずれか一項に記載の筐体構造であって、前記第１筐体１は入力部を備え、前記第２筐体は表示部を備えることを特徴とする。
【００１３】
請求項８に記載の発明は、請求項１から７のいずれか一項に記載の筐体構造を備える携帯機器を特徴とする。
【発明の効果】
【００１４】
本発明によれば、筐体を横方向に開く際に、開放操作が片手で簡単にし易くなる。
【図面の簡単な説明】
【００１５】
【図１】本発明を適用した携帯機器の一実施形態の構成を示すもので、携帯電話を折り畳んだ状態を示した斜視図である。
【図２】図１の矢印Ａ部の拡大図である。
【図３】図２の内部機構を示した透視図である。
【図４】図３のロック機構及び操作部を断面で示して２軸ヒンジを示した透視図である。
【図５】図１の矢印Ｂ-Ｂ線に沿った断面図である。
【図６】図１の携帯電話を縦方向に開放した状態を示した図である。
【図７】図６の矢印Ｃ部の拡大図である。
【図８】図１の操作部を押した状態を示した図である。
【図９】図８の状態から携帯電話を横方向に開放した状態を示した図である。
【図１０】図３の操作部を押した状態を示した図である。
【図１１】図５の操作部を押した状態を示した図である。
【図１２】図１１に続いて筐体が押し開かれる状態を示した図である。
【図１３】図１２に続いて操作部をさらに押した状態を示した図である。
【図１４】図１３に続いて操作部を完全に押し込んでロックが解除される状態を示した図である。
【図１５】図１４に続いて筐体の間に指を入れる隙間が形成される状態を示した図である。
【図１６】実施形態２を示すもので、ロック機構及び操作部を露出して示して２軸ヒンジを示した透視図である。
【発明を実施するための形態】
【００１６】
以下、図を参照して本発明を実施するための形態を詳細に説明する。
（実施形態１）
図１は本発明を適用した携帯機器の一実施形態の構成として携帯電話を折り畳んだ状態を示したもので、図２はその矢印Ａ部を拡大したもの、図３はその内部機構を透視して示したもの、図４はそのロック機構及び操作部を断面で示して２軸ヒンジを示したものである。図中、１は第１筐体、２は第２筐体、３はヒンジケース、４は２軸ヒンジ、５はロック機構、６は操作部である。
【００１７】
図示のように、第１筐体１と第２筐体２はヒンジケース３で覆われた２軸ヒンジ４を介して結合されている。第１筐体１には図示しないキー入力部が設けられ、第２筐体２には図示しない表示部が設けられている。そして、第２の筐体２のヒンジケース３側の一側部内にロック機構５が組み込まれ、そのロック機構５の延長線上に位置する操作部６がヒンジケース３の一側部に組み込まれている。
【００１８】
２軸ヒンジ４は、図４に示すように、第１軸である一対のヒンジ軸４１と第２軸である回転支軸４２とで構成されている。一対のヒンジ軸４１は、第１筐体１に一体に設けたヒンジボス１３の左右にそれぞれ回転自在に組み付けられている。ヒンジケース３の操作部６と反対側部内において、一方のヒンジ軸４１とブラケット４３を介して連結された回転支軸４２は、第２筐体２に回転自在に組み付けられている。
【００１９】
こうして第１筐体１と第２筐体２は、ヒンジ軸４１を中心として縦方向に折り畳み可能（開閉可能）に組み付けられていて、第２筐体２は第１筐体１及びヒンジケース３に対し回転支軸４２を中心として横方向に回転可能に組み付けられている。なお、図示例において、ヒンジ軸４１と回転支軸４２は互いの軸線が直交しているが、軸線は直交に限らず交差していればよく、いわゆる立体交差も含まれる。
【００２０】
ロック機構５は、図４に示すように、第２筐体２のヒンジケース３側の一側部内に移動自在に組み込まれたピン部材によるストッパー５１と、このストッパー５１を第２筐体２の端面から突出する方向に付勢するコイル状のスプリング５２とから構成される。そして、ストッパー５１の第２筐体２から突出する先端には斜め下向きの傾斜面５３が形成されている。なお、ストッパー５１は第２筐体２の開口内に抜け止め構造をもって組み込まれている。
【００２１】
また、第２筐体２の開口より下部には、斜め下向きの傾斜面２３が形成されている。
【００２２】
操作部６は、図４に示すように、ロック機構５の延長線上に位置してヒンジケース３の一側部内に移動自在に組み込まれて外部に露出したピン部材によるプッシュボタン６１と、このプッシュボタン６１を外部へ露出する方向に付勢するコイル状のスプリング６２とから構成される。そして、プッシュボタン６１のヒンジケース３の端面から第２筐体２側に突出する先端には、ストッパー５１先端の斜め下向きの傾斜面５３と合致する斜め上向きの傾斜面６３が形成されている。なお、プッシュボタン６１はほぼ半部がヒンジケース３内に抜け止め構造をもって組み込まれている。
【００２３】
図５は図１の矢印Ｂ-Ｂ線に沿った断面を示したもので、ロック機構５により第１筐体１と第２筐体２とを折り畳んだ状態に保持するロック状態となっている。すなわち、図示のように、ストッパー５１がスプリング５２による付勢でヒンジケース３の開口内に係合して、第１筐体１と第２筐体２とを折り畳んだロック状態に保持されており、第１筐体１に対する前記回転支軸４２を中心とする横方向への開放操作は阻止される。
【００２４】
図６は第１筐体１と第２筐体２を前記ヒンジ軸４１を中心として縦方向に開放した状態を示したものである。このように縦方向の開放状態において、プッシュボタン６１のヒンジケース３からの露出部は、図７に拡大して示したように、第１筐体１の端部上に重ねられて覆い隠されているため、プッシュボタン６１を押すことができない。
【００２５】
図８はプッシュボタン６１を押した状態を示したもので、折り畳み状態において、プッシュボタン６１を押すと、図示のように、第１筐体１に対し前記回転支軸４２を中心として第２筐体２が横方向に若干開放動作し、すなわち、第１筐体１と第２筐体２の前記回転支軸４２と反対側の側部間に隙間が生じる。従って、その隙間に指を入れて開放操作することで、図９に示すように、第１筐体１と第２筐体２を横方向に開放状態にすることができる。
【００２６】
図１０及び図１１はプッシュボタン６１を押した状態を示したもので、プッシュボタン６１を押すと、その斜め上向きの傾斜面６３に斜め下向きの傾斜面５３が当接するストッパー５１が押し込まれると同時に押し上げられる方向の力が加わる。
【００２７】
図１２は続いて筐体１・２が押し開かれる状態を示したもので、プッシュボタン６１をさらに押し込むことで、傾斜面６３・５３を介してストッパー５１がさらに押し込まれるとともに押し上げられ、同時に、プッシュボタン６１の傾斜面６３が第２筐体２の開口下部の斜め下向きの傾斜面２３にも当接し、傾斜面６３・２３を介して第２筐体２が押し開かれ始める。
【００２８】
図１３は続いてプッシュボタン６１をさらに押した状態を示したもので、プッシュボタン６１をさらに押し込むことで、傾斜面６３・５３を介してストッパー５１がさらに押し込まれ・押し上げられるとともに、傾斜面６３・２３を介して第２筐体２がさらに押し開かれ、同時に、ストッパー５１がヒンジケース３の開口から抜け出る地点に達する。
【００２９】
図１４は続いてプッシュボタン６１を完全に押し込んでロックが解除される状態を示したもので、プッシュボタン６１を完全に押し込むことで、ストッパー５１がヒンジケース３の開口から抜け出してロックが解除される。同時に、プッシュボタン６１先端の傾斜面６３がストッパー５１先端の傾斜面５３から外れ、スプリング５２の付勢によりストッパー５１が第２筐体２の開口から突出する。そして、傾斜面６３・２３を介して第２筐体２がさらに押し開かれる。
【００３０】
図１５は続いて筐体１・２の間に指を入れる隙間が形成される状態を示したもので、第２筐体２が押し開かれて第１筐体１との間に指を入れる隙間が生じ、この時点でプッシュボタン６１から指を離すと、スプリング６２の付勢によりプッシュボタン６１が後退する。従って、その隙間に指を入れて開放操作することで、図９に示したように、第１筐体１と第２筐体２を横方向に開放状態にすることができる。
【００３１】
以上、実施形態の２軸ヒンジ４を備える携帯電話によれば、第１筐体１と第２筐体２とを折り畳んだ状態でロック状態に保持するロック機構５と、そのロック機構５によるロック状態を解除して第１筐体１と第２筐体２とを離間させる操作部６と、を備え、すなわち、ピン部材によるストッパー５１及びスプリング５２と、同じくピン部材によるプッシュボタン６１及びスプリング６２とを備えているので、特に、２軸ヒンジ４の回転支軸４２を中心として筐体１・２を横方向に開く際に、片手で簡単に開放操作することができる。
【００３２】
しかも、操作部６は、第２筐体２に設けられ、２軸ヒンジ４のヒンジ軸４１の側方に露出したプッシュボタン６１なので、横方向の開放操作が容易にできるものとなっている。
【００３３】
（実施形態２）
図１６は実施形態２を示すもので、前述した実施形態１と同様、１は第１筐体、１３はヒンジボス、２は第２筐体、２３は斜め下向きの傾斜面、３はヒンジケース、４は２軸ヒンジ、４１は第１軸（ヒンジ軸）、４２は第２軸（回転支軸）、５はロック機構、５１はストッパー、５２はスプリング、５３は斜め下向きの傾斜面、６は操作部、６１はプッシュボタン、６２はスプリング、６３は斜め上向きの傾斜面である。
【００３４】
実施形態２は、ロック機構５において、図示のように、板状部材によるストッパー５１とするとともに、操作部６においても、図示のように、板状部材によるプッシュボタン６１としたものである。
【００３５】
このように、板状部材によるストッパー５１及びプッシュボタン６１としても、前述した実施形態１と同様の作用効果が得られる。
【００３６】
（変形例）
なお、以上の実施形態においては、携帯電話としたが、本発明はこれに限定されるものではなく、カメラ、ＰＤＡ、ノートパソコン、ウェアラブルパソコン、電卓、電子辞書などの２軸ヒンジを備える携帯機器全てに用いることができる。
また、操作部は第１軸の中心方向に設けてもよい。
【００３７】
さらに、縦方向に開放した場合に操作部を操作できないように、操作部をロックする機構を設けてもよい。
また、ロック機構の構成や操作部の構成も任意であり、その他、筐体の形状や操作部の形状やスプリングの種類など具体的な細部構造等についても適宜に変更可能であることは勿論である。
【符号の説明】
【００３８】
１  第１筐体
１３  ヒンジボス
２  第２筐体
２３  傾斜面
３  ヒンジケース
４  ２軸ヒンジ
４１  第１軸
４２  第２軸
５  ロック機構
５１  ストッパー
５２  スプリング
５３  傾斜面
６  操作部
６１  プッシュボタン
６２  スプリング
６３  傾斜面
【図１】
2010190338.tif 000003
【図２】
2010190338.tif 000004
【図３】
2010190338.tif 000005
【図４】
2010190338.tif 000006
【図５】
2010190338.tif 000007
【図６】
2010190338.tif 000008
【図７】
2010190338.tif 000009
【図８】
2010190338.tif 000010
【図９】
2010190338.tif 000011
【図１０】
2010190338.tif 000012
【図１１】
2010190338.tif 000013
【図１２】
2010190338.tif 000014
【図１３】
2010190338.tif 000015
【図１４】
2010190338.tif 000016
【図１５】
2010190338.tif 000017
【図１６】
2010190338.tif 000018